(57)【特許請求の範囲】
【請求項１】
操作パネル（３）を機器本体に回動可能に装着し、さらに機器本体に着脱可能とした車載用音響機器において、前記操作パネル（３）側に設けた左右の嵌合部（３ｂ、３ｂ）と夫々嵌合し操作パネル（３）を回動可能に支持する嵌合部材（４ａ、５ａ）を機器本体側に取付け、前記操作パネル（３）を装着される姿勢に対して傾けた状態で取り付ける際、前記嵌合部材（４ａ、５ａ）および嵌合部（３ｂ、３ｂ）の一方が嵌合する状態に導くように機器本体に設けたガイド面の前記嵌合部材（４ａ）近傍に突起（２ｃ）を形成したことを特徴とする車載用音響機器の可倒式操作パネル着脱機構。
【発明の詳細な説明】
【０００１】
【発明の属する技術分野】
この発明は操作パネルを着脱可能とした車載用音響機器に係わり、特に、操作パネルの着脱機構に関する。
【０００２】
【従来の技術】
車載用音響機器の操作パネルは、記録媒体挿入口を開放するために可倒式とし、さらに盗難を防止するために取り外し可能とするものがある。そのような従来の可倒式操作パネル着脱機構の例を図８に示す。図８に示す機器本体１の前方に取付けられたサブパネル２の左右に軸保持部材２２が固定されており、軸保持部材２２には夫々軸２３が立設されている。
【０００３】
操作パネル３の左右側面には軸受２０が可動状態に埋め込まれ、図９に示すように圧縮コイルばね２１により突出方向に付勢されている。軸受２０には凹み２０ａが設けられており、凹み２０ａの形成された面に連なるように円錐形状の傾斜面２０ｂが形成されている。
【０００４】
操作パネル３を本体に装着するときは図８の矢印で示すように片方の軸２３と軸受２０の凹み２０ａを嵌合して、操作パネル３を押し込むと、他方の軸受２０の傾斜面が軸２３に押されて軸受２０が圧縮コイルばね２１の弾力に抗して奥に引っ込みさらに軸受２０の凹み２０ａが軸２３と嵌合し操作パネル３は回動自在に支持される。
【０００５】
操作パネル３を取り外すときは、操作パネル３を倒した状態で手前に引張ると、軸受２０が軸２３に押され圧縮コイルばね２１の弾力に抗して操作パネル３の凹みの奥に移動し、軸受２０、２０から外れて操作パネル３を機器本体１から離すことができる。
【０００６】
【発明が解決しようとする課題】
上記した従来のパネル着脱機構において、操作パネル３には操作パネル３が起立した状態で正面から軸保持部材２２が見えないように機器本体との嵌合部を覆う凸部３ｇが設けられている。操作パネル３の片方の凹み２０ａを軸２３に嵌合させるとき、図１０に示すように操作パネル３を傾けてその角部をサブパネル２の平面に滑らせて操作パネル３を移動させるが、傾ける角度が大きいと、凸部３ｇが軸２３と干渉して、操作パネル３の装着が行いにくかった。また、凹み２０ａを軸２３に嵌合させることができてもこれら干渉部が擦れて傷がつくことがあった。
【０００７】
この発明は上記した点に鑑みてなされたものであって、その目的とするところは、操作パネルを本体側に設けた嵌合部と嵌合させるとき、操作パネルと本体側に設けた嵌合部とが干渉することなく、操作パネルの装着が容易に行える可倒式操作パネル着脱機構を提供することにある。
【０００８】
【課題を解決するための手段】
この発明の可倒式操作パネル着脱機構は、操作パネルを機器本体に回動可能に装着し、さらに機器本体に着脱可能とした車載用音響機器において、前記操作パネル側に設けた左右の嵌合部と夫々嵌合し操作パネルを回動可能に支持する嵌合部材を機器本体側に取付け、前記操作パネルを装着される姿勢に対して傾けた状態で取り付ける際、前記嵌合部材および嵌合部の一方が嵌合する状態に導くように機器本体に設けたガイド面の前記嵌合部材近傍に突起を形成したものである。
【０００９】
【発明の実施の形態】
この発明の実施例を図面に基づいて説明する。図１および図２にこの発明の第１の実施例の操作パネル着脱機構の概略構成を示す。図１に示す機器本体１の前方に取付けられたサブパネル２の左右に可動アーム４、５が回動自在に支持されており、その先端に軸４ａ、５ａが一体に形成されている。図３に左側の可動アーム４の可動範囲を実線と２点鎖線で示している。右側の可動アーム５も同様に可動し、図２に示す板ばね１０により時計方向に付勢されている。左側の可動アーム４は反時計方向に付勢されているが、図２では可動アーム４を付勢する板ばねは示していない。但し、図４に板ばね１０として示されている。
【００１０】
図２に示すように、操作パネル３の左右側面の凹み３ｂ、３ｂは軸４ａ、５ａと嵌合し操作パネル３は回動自在に支持される。操作パネル３に一体に形成された扇形ギヤ３ａは可動アーム４に回転自在に支持されたギヤ７と噛み合い、ギヤ７は可動アーム４に支持されたギヤダンパ８と噛み合っている。
【００１１】
ギヤダンパ８には粘性流体が封入されており、ギヤの回転速度に比例したトルク荷重を発生させる。ギヤダンパ８の作用により操作パネル３の回動速度が抑えられる。操作パネル３を取り外すときは、操作パネル３を倒した状態で手前に引張ると、軸４ａ、５ａが操作パネル３の凹み３ｂ、３ｂに押され板ばね１０の弾力に抗して可動アーム４、５が先端部を開くように回動し軸４ａ、５ａと凹み３ｂ、３ｂの嵌合が外れ操作パネル３を機器本体１から離すことができる。
【００１２】
図４および図５を参照して操作パネル３の着脱機構を構成する各部材の詳細を説明する。図４はサブパネル２を背面から見た分解斜視図である。図に示す可動アーム４の上下の穴４ｂ、４ｂはサブパネル２のボスに嵌着されたピン１１、１１と嵌合し、可動アーム４がサブパネル２に回動自在に取付けられる。ブラケット９はねじ１２によりサブパネル２に取付けられ、ブラケット９に取付けられた板ばね１０は可動アーム４を上からみて反時計方向に付勢する。
【００１３】
金具６はねじ１２により可動アーム４に締着される。金具６にはねじ１２によりギヤダンパ８が締着され、金具６に立設された軸６ａはギヤ７を回転自在に支持する。ギヤ７はギヤダンパ８および図５に示す操作パネル３の扇形ギヤ３ａと噛み合う。
【００１４】
可動アーム５の穴５ｂはサブパネル２のボスに嵌着された軸１５と嵌合し、可動アーム５がサブパネル２に回動自在に取付けられる。なお、可動アーム５を上から見て時計方向に付勢する板ばねがブラケットに取付けられるが図４にはこのブラケットおよび板ばねは図示していない。ロックアーム１３の穴１３ａも軸１５と嵌合し、ロックアーム１３がサブパネル２に回動自在に取付けられる。なお、ロックアーム１３を上から見て時計方向に付勢する板ばねがブラケットに取付けられるがこの板ばねは図示していない。ロックアーム１３の係止部１３ｃは図５に示す操作パネル３を係止する。
【００１５】
スライダ１４はサブパネル２の角形の穴と嵌合し、さらに、スライダ１４の長穴１４ａは軸１５と嵌合し、スライダ１４はサブパネル２に突出自在に取付けられている。スライダ１４とサブパネル２の間に掛けられた引張りコイルばね１９はスライダ１４を突出方向に付勢する。
【００１６】
スライダ１４は後に説明するようにサブパネル２に回動自在に取付けられた操作パネル３の背面を押すが、ロックアーム１３が時計方向に回動して操作パネル３を係止しているときは、スライダ１４の突起１４ｂの前側にロックアーム１３の突起１３ｂが入り込みスライダ１４の動きが止められる。
【００１７】
サブパネル２に設けられた光ディスク挿入口２ａは通常サブパネル２の前面に取付けられた操作パネル３により閉じられる。サブパネル２に取付けられた板ばね１６に固着された可動部材１７はサブパネル２の穴２ｂから突出可能であり、操作パネル３を前方に付勢する。サブパネル２の前面には操作パネル３と当接するクッション１８、１８が張り付けられている。
【００１８】
図５に操作パネル３の詳細を示す。操作パネル３は箱型に成形された樹脂部材２個がねじで締着された構造であり、左右側面に凹み３ｂ、３ｂが形成され、図５（ａ）で見て右側下部に扇形ギヤ３ａが形成されている。凹み３ｂ、３ｂの形成された面に連なる円錐状の傾斜面には溝３ｃ、３ｃが形成されている。
【００１９】
押釦３ｄは操作パネル３の前面に突出自在に取付けられており、その後端は図４で説明したロックアーム１３の先端傾斜部に臨んでいる。操作パネル３の後面に取付けられたコネクタ３ｆの接触子はサブパネル２に取付けられた図示していないコネクタの接触子と接触する。操作パネル３がサブパネル２の前面を覆うように取付けられたとき、コネクタ３ｆにより操作パネル３に設けられた図示していない表示装置や操作キーが本体側に接続される。操作パネル３の背面に設けられた傾斜面３ｅ、３ｅは図４で説明したスライダ１４の先端と当接する。
【００２０】
通常、操作パネル３の左右側面の凹み３ｂ、３ｂは図２および図４で説明した可動アーム４および５の軸４ａ、５ａと嵌合し操作パネル３は回動自在に支持され、サブパネル２の前面を覆う状態ではロックアーム１３の係止部１３ｃに係止されている。押釦３ｄを押すとロックアーム１３は回動して、操作パネル３およびスライダ１４のロックを解除し、操作パネル３はスライダ１４に押されてサブパネル２の前面を開くように回動する。そのときの回動速度は先に説明したギヤダンパ８の作用により制限される。
【００２１】
操作パネル３を取り外すときは、操作パネル３が倒れた状態で手前に引張ると、可動アーム４および５の軸４ａ、５ａが操作パネル３の凹み３ｂ、３ｂに押され板ばね１０の弾力に抗して可動アーム４、５が先端部を開くように回動し軸４ａ、５ａと凹み３ｂ、３ｂの嵌合が外れ操作パネル３を機器本体１から離すことができる。
【００２２】
操作パネル３を取り付けるときは、図６に示すように、操作パネル３を傾けてその角部をサブパネル２の平面に滑らせて操作パネル３を移動させるが、サブパネル２に突起２ｃが設けられており、突起２ｃに押されて操作パネル３が前方に移動するために操作パネル３の凸部３ｇが軸４ａと干渉することなく、操作パネル３を軸４ａに嵌合させることができる。
【００２３】
操作パネル３の一方の凹み３ｂを軸４ａに嵌合させた後、操作パネル３を押し込むと、可動アーム５の軸５ａは操作パネル３に押され可動アーム５が回動し、軸５ａが逃げるので、軸５ａを溝３ｃに案内させて凹み３ｂに導き軸５ａを凹み３ｂに嵌合させることができる。なお、操作パネル３をいずれの側からでも先に嵌合させることができるように、突起２ｃは左右に１個ずつ２個設けられている。
【００２４】
このように操作パネル３を回動自在に嵌合させた後、操作パネル３を回動させることができ、上方に回動させるとき操作パネル３はスライダ１４を押し込むが、傾斜面３ｅがスライダ１４を押すのでスライダ１４を上方に押す分力が殆ど発生せずスライダ１４はスムーズに移動する。
【００２５】
このように操作パネル３がサブパネル２の前面を閉じるように回動すると、ロックアーム１３は図４で上から見て一旦反時計方向に回動した後もとに戻され操作パネル３をロックする。また、スライダ１４は後方に押し込まれた後ロックアーム１３に係止される。
【００２６】
図７この発明の第２の実施例を示す。この例では、サブパネル２の案内面に上方に凸の突起２ｃが設けられており、操作パネル３を上から押さえるようにしてサブパネル２の案内面に滑らせて嵌合させる。
【００２７】
【発明の効果】
この発明の車載用音響機器の可倒式操作パネル着脱機構によれば、操作パネルと本体側の嵌合部を嵌合させるとき、操作パネルと本体側の嵌合部とが干渉することがないので、操作パネルの装着が容易に行える。
【００２８】
また、操作パネルや嵌合部が擦れて傷がつくことがないので、これらの部材を安価な樹脂成形部材とすることができる。
【図面の簡単な説明】
【図１】この発明の第１実施例である車載用音響機器の操作パネル着脱機構を示す概略外観図である。
【図２】同操作パネル着脱機構を示す概略断面図である。
【図３】同操作パネル着脱機構を示す部分断面図である。
【図４】同操作パネル着脱機構を示す分解斜視図である。
【図５】図５（ａ）は同操作パネル着脱機構の操作パネル３を示す背面図、図５（ｂ）は同操作パネル３の図５（ａ）で見た左側の側面図、図５（ｃ）は同操作パネル３の図５（ａ）で見た右側の側面図、図５（ｄ）は図５（ａ）におけるＤ−Ｄ断面図である。
【図６】同操作パネル着脱機構の作用を説明するための部分平面図である。
【図７】この発明の第２の実施例を示す斜視図である。
【図８】従来の車載用音響機器の操作パネル着脱機構を示す部分斜視図である。
【図９】同操作パネル着脱機構を示す部分断面図である。
【図１０】同操作パネル着脱機構の作用を説明するための部分断面図である。
【符号の説明】
１  機器本体
２  サブパネル、２ａ  光ディスク挿入口、２ｂ  穴、２ｃ  突起
３  操作パネル、３ａ  扇形ギヤ、３ｂ  凹み、３ｃ  溝、３ｄ  押釦、３ｅ傾斜面、３ｆ  コネクタ、３ｇ  凸部
４  可動アーム、４ａ  軸、４ｂ  穴、４ｃ  溝
５  可動アーム、５ａ  軸、５ｂ  穴
６  金具、６ａ  軸
７  ギヤ
８  ギヤダンパ
９  ブラケット
１０  板ばね
１１  ピン
１２  ねじ
１３  ロックアーム、１３ａ  穴、１３ｂ  突起、１３ｃ  係止部
１４  スライダ、１４ａ  長穴、１４ｂ  突起
１５  軸
１６  板ばね
１７  可動部材
１８  クッシヨン
１９  引張りコイルばね
２０  軸受、２０ａ  凹み、２０ｂ  傾斜面
２１  圧縮コイルばね
２２  軸保持部材
２３  軸
【図１】
0003820014.tif 000002
【図２】
0003820014.tif 000003
【図３】
0003820014.tif 000004
【図４】
0003820014.tif 000005
【図５】
0003820014.tif 000006
【図６】
0003820014.tif 000007
【図７】
0003820014.tif 000008
【図８】
0003820014.tif 000009
【図９】
0003820014.tif 000010
【図１０】
0003820014.tif 000011